(57)【要約】【課題】  接合領域を確保しつつ、気密性を保持する。【解決手段】  圧電振動素子１０と、この圧電振動素子１０が搭載される位置に貫通孔２４が設けられる基部２１とこの基部２１の外周縁部分に圧電振動素子１０を取り囲んでキャビティ部２３が形成される枠部２２とからなる容器体２０と、キャビティ部２３を塞ぐ蓋体３０と、圧電振動素子１０と基部２１とを接続する接続材４０とを備え、接続材４０が、貫通孔２４を封止するように塞ぎつつ所定の高さで基部２１に設けられ、この接続材４０に圧電振動素子１０が接続されることを特徴とする。【選択図】      図１
2007208470.tif 000002
【特許請求の範囲】
【請求項１】
圧電振動素子と、この圧電振動素子が搭載される位置に貫通孔が設けられる基部とこの基部の外周縁部分に前記圧電振動素子を取り囲んでキャビティ部が形成される枠部とからなる容器体と、前記キャビティ部を塞ぐ蓋体と、前記圧電振動素子と前記基部とを接続する接続材とを備え、
前記接続材が、前記貫通孔を封止するように塞ぎつつ所定の高さで前記基部に設けられ、
この接続材に前記圧電振動素子が接続されることを特徴とする圧電振動子。
【請求項２】
前記接続材がＡｕであって、前記基部の前記貫通孔の縁部にＡｕからなる導電性材が設けられ、前記接続材が前記基部にＧＧＩ接合により接合されていることを特徴とする請求項１に記載の圧電振動子。
【請求項３】
前記接続材が、球状又は異形状に形成されたバンプであることを特徴とする請求項１又は請求項２に記載の圧電振動子。
【発明の詳細な説明】
【技術分野】
【０００１】
本発明は、電子機器に用いられる圧電振動子に関する。
【背景技術】
【０００２】
従来より、圧電素板の両主面に電極を形成した圧電振動素子をパッケージ内部に搭載した圧電振動子、このような圧電振動子と発振回路とを同一のパッケージ内に搭載した圧電発振器、特定の周波数帯を分離する圧電フィルタ等の圧電デバイスが、携帯用通信機器や電子計算機等の電子機器に多く用いられている。そして近年、表面実装に対応した形状の圧電デバイスが開発され、電子機器の小型化に伴って、これらの圧電デバイスも小型化が進められている。
【０００３】
かかる従来の圧電デバイスの一例として水晶振動子を示す。この水晶振動子は、図２に示すように、枠部２０３Ａと振動部２０３Ｂとが一体で形成される水晶からなる圧電基板２０３を、共にガラスからなる蓋２０１と基板２０２とで挟んで構成された圧電振動子２００が提案されている。
このような圧電振動子２００は、圧電基板２０３の振動特性を低下させないようにするために、蓋２０１と基板２０２とに振動部２０３Ｂが収まる程度の凹部２１０が形成されている。また、圧電基板２０３の枠部２０３Ａの裏面及び表面の両面には金属層２０３Ｃが形成されており、枠部２０３Ａと蓋２０１、及び、枠部２０３Ａと基板２０２とが陽極接合により、凹部２１０を振動部２０３Ｂに向けて接合されている。
また、貫通孔２０４が枠部２０３Ａと基板２０２との接合面に設けられている（例えば、特許文献１参照）。
【０００４】
このように、貫通孔２０４が設けられる位置としては、平板状の基体に凹部を有する蓋体を接合して、この凹部内に圧電振動素子が搭載されている構成となるような圧電振動子においても同様である。
このように構成することで、気密封止を確実に行うことができた。
【特許文献１】特許第３３９０３４８号公報（段落０００５〜００１３、図３）
【発明の開示】
【発明が解決しようとする課題】
【０００５】
しかしながら、圧電振動子の小型化によって、貫通孔が気密封止のための接合面内に設けられると、接合領域が狭くなり、良好な接合が得られない恐れがあった。
また、貫通孔が接合面内からはみ出してしまい、十分な接合領域の確保や気密性の保持が困難となっていた。
【０００６】
そこで、本発明は、前記した問題を解決し、接合領域を確保しつつ、気密性が保持できる圧電振動子を提供することを課題とする。
【課題を解決するための手段】
【０００７】
前記課題を解決するため、本発明は、圧電振動素子と、この圧電振動素子が搭載される位置に貫通孔が設けられる基部とこの基部の外周縁部分に前記圧電振動素子を取り囲んでキャビティ部が形成される枠部とからなる容器体と、前記キャビティ部を塞ぐ蓋体と、前記圧電振動素子と前記基部とを接続する接続材とを備え、前記接続材が、前記貫通孔を封止するように塞ぎつつ所定の高さで前記基部に設けられ、この接続材に前記圧電振動素子が接続されることを特徴とする圧電振動子である。
【０００８】
また、本発明は、前記接続材がＡｕであって、前記基部の前記貫通孔の縁部にＡｕからなる導電性材が設けられ、前記接続材が前記基部にＧＧＩ接合により接合されていても良い。
【０００９】
また、本発明は、前記接続材が、球状又は異形状に形成されたバンプであっても良い。
【発明の効果】
【００１０】
このように、本発明の圧電振動子は、接合領域を確保することができ、気密性を保持することができる。
【発明を実施するための最良の形態】
【００１１】
次に、本発明を実施するための最良の形態（以下、「実施形態」という。）について、適宜図面を参照しながら詳細に説明する。
【００１２】
図１（ａ）は、基部に設けた貫通孔に導電性材を設けた状態の一例を示す図である。（ｂ）は、（ａ）に続く工程を示す図である。（ｃ）は、（ｂ）に続く工程を示す図である。（ｄ）は、（ｃ）に続く工程を示す図である。（ｅ）は、（ｄ）に続く工程を示す図である。
【００１３】
本発明の実施形態に係る圧電振動子１００は、圧電振動素子１０と、この圧電振動素子１０が搭載される位置に貫通孔２４が設けられる基部２１とこの基部２１の外周縁部分に圧電振動素子１０を取り囲んでキャビティ部２３を形成する枠部２２とからなる容器体２０と、前記キャビティ部２３を塞ぐ蓋体３０と、前記圧電振動素子１０と前記基部２１とを接続する接続材４０とから主に構成されている。
【００１４】
圧電振動素子１０は、例えば、所定の結晶軸でカットした水晶片の両主面に一対の励振電極を被着・形成してなり、外部からの変動電圧が一対の励振電極を介して水晶片に印加されると、所定の周波数で厚みすべり振動を起こすようになっている。
この水晶振動素子１０は、図１（ｅ）に示すように、水晶振動素子３０の励振電極に後述する接続材４０を介して後述する基部２１の導電性材２５に片持ち梁の状態で電気的に接続される。
【００１５】
容器体２０は、例えばセラミックが用いられ、図１（ｅ）に示すように、基部２１と枠部２２とからなり、基部２１の外周縁部分に沿って枠部２２を設けることでキャビティ部２３が形成され、このキャビティ部２３内に圧電振動素子１０が搭載される。
【００１６】
基部２１には圧電振動素子１０の搭載位置に貫通孔２４が、水晶片の両主面に設けられた一対の励振電極からの引き回し電極に対応して設けられている。
なお、本実施形態では２箇所となる。
この貫通孔２４の直径は、後述する接続材４０の直径よりも小さく形成されている。
また、この貫通孔２４の縁部であって基部２１の圧電振動素子１０を搭載する側の表面上には、導電性材２５が設けられている。
この導電性材２５は、例えばＡｕ（金）からなり、膜状に形成されている。なお、この導電性材２５は、下地にＴｉ（チタン）などの下地膜を形成した積層膜体としても良い。
【００１７】
枠部２２は、基部２１が設けられた側とは反対側に封止材Ｆが設けられ、後述する蓋体３０と接合するために用いられる。
【００１８】
接続材４０は、例えば、Ａｕからなる球状又は異形状のバンプであって、図１（ｅ）に示すように、前記貫通孔２４の直径より大きな直径となっている。なお、本実施形態では、円柱形状とこの円柱形状の直径より大きな直径となる円盤形状とを組み合わせたバンプを用いている。
この接続材４０は、貫通孔２４を塞いで気密状態となるように前記導電性材２５に予めＧＧＩ接合により接合されている。
【００１９】
ここで、接続材４０は、圧電振動素子１０を接合する際に必要な所定の高さで設けられている。
この接続材４０に圧電振動素子１０を接合する場合、圧電振動素子１０を吸着するアームＳに、圧電振動素子１０よりも厚さ（又は長さ）のある凸部Ｔが設けられており、この凸部Ｔが基部２１に当接されることで、圧電振動素子１０が基部２１に接触することを防ぐようになっている。このとき、接続材４０は、その一部分が貫通孔２４の内部に入り込んだ状態で導電性材２５に接合されることとなる。
【００２０】
蓋体３０は、図１（ｅ）に示すように、容器体２０に設けられたキャビティ部２３を塞ぐ役割を果たす。この蓋体３０は、その外周部に封止用導体パターンＤが形成されており、この封止用導体パターンＤと封止材Ｆとを介して容器体１０の枠部２２に接合される。
【００２１】
次に、本発明の実施形態に係る圧電振動素子１００の製造方法を説明する。
まず、セラミックなどで、キャビティ部２３を有する容器体２０を用意し、この容器体２０の基部２１部分であって、圧電振動素子１０が搭載される位置に貫通孔２４を穿孔する。この貫通孔２４の縁部に導電性材２５を設けておく。
この導電性材２５に接続材４０をＧＧＩ接合により接合しておく。この状態で貫通孔２４は封止された状態となる。
そして、この接続材４０に圧電振動素子１０の励振電極からの引き回し電極を接合する。この状態で、圧電振動素子１０は、基部２１と接触することなく接続材４０と接合される。
この状態において、枠部２２上に蓋体３０を載置し、シーム溶接などで接合して、キャビティ部２３を塞いで気密封止する。
【００２２】
このように本発明の実施形態に係る圧電振動素子１００を構成することで、従来より小型化しても圧電振動素子１０の電極の引き回しを容器体２０の外部に容易に引き回すことができると共に、蓋体３０と容器体２０との接合領域を確保することができる。また、キャビティ部２３内に貫通孔２４を設けることとなっても、接続材４０でこの貫通孔２４を塞ぐことができるので、この貫通孔２４からの気密漏れを防ぐことができる。
また、ＧＧＩ接合としたことにより、低温度で簡易な接合が行えることにより、圧電振動素子１０への熱による影響を少なくすることができ、かつ、確実な接合となるために、貫通孔２４の封止状態を良好にすることができる。
【００２３】
以上、本発明の実施形態について説明したが、本発明は前記実施形態には限定されない。例えば、キャビティ部は、蓋体側に設けた構成としても本実施形態と同様の効果を奏する。
接続材４０の形状は、円錐台形状であっても良いし、円錐台形状と円盤形状との組み合わせであってもよい。
【００２４】
また、接続材４０の接合後に、この接続材４０と接続し貫通孔２４の外周面に引き回しパターンを形成して外部へ設けられる外部端子と接続する構成としても良い。
【図面の簡単な説明】
【００２５】
【図１】（ａ）は、基部に設けた貫通孔に導電性材を設けた状態の一例を示す図である。（ｂ）は、（ａ）に続く工程を示す図である。（ｃ）は、（ｂ）に続く工程を示す図である。（ｄ）は、（ｃ）に続く工程を示す図である。（ｅ）は、（ｄ）に続く工程を示す図である。
【図２】従来の圧電振動素子の一例を示す断面図である。
【符号の説明】
【００２６】
１００  圧電振動子
１０    圧電振動素子
２０    容器体
２１    基部
２２    枠部
２３    キャビティ部
２４    貫通孔
２５    導電性材
３０    蓋体
４０    接続材
【図１】
2007208470.tif 000003
【図２】
2007208470.tif 000004